【手続補正書】
【提出日】令和3年5月21日(2021.5.21)
【手続補正１】
【補正対象書類名】明細書
【補正対象項目名】００５９
【補正方法】変更
【補正の内容】
【００５９】
以上、様々な例について説明した。これらの及びその他の例は、添付の請求項の範囲に含まれる。
本明細書に開示される発明は以下の態様を含む。
〔態様１〕
太陽電池組立体であって、
上部表面を含む少なくとも１つの基材と、
複数の太陽電池カプセルであって、該複数の太陽電池カプセルは、複数の連続的なギャップが、前記複数の太陽電池カプセルの隣接する太陽電池カプセルの間において画定されるように、前記少なくとも１つの基材の前記上部表面に付着されており、前記複数の太陽電池カプセルの太陽電池カプセルのそれぞれは、１つ又は複数の太陽電池ユニットを含み、前記太陽電池ユニットは、水及び酸素分子、大気汚染物質、泥、すす、及び強力な化学物質、或いは、機械的な摩滅、衝撃、ＵＶ光、及び温度の１つ又は複数から、前記太陽電池ユニットを保護するべく、カプセル材料内において収容されている、複数の太陽電池カプセルと、
電気回路を形成するべく、前記太陽電池カプセルを互いに相互接続する複数の電気導体と、
を有する、太陽電池組立体。
〔態様２〕
前記少なくとも１つの基材は、織られた又は織られていない布基材を有する、態様１に記載の太陽電池組立体。
〔態様３〕
前記少なくとも１つの基材は、メッシュ基材を有する、態様１に記載の太陽電池組立体。
〔態様４〕
前記少なくとも１つの基材は、ネットを有する、態様１に記載の太陽電池組立体。
〔態様５〕
前記少なくとも１つの基材は、足場を有する、態様１に記載の太陽電池組立体。
〔態様６〕
前記少なくとも１つの基材は、フレームを有する、態様１に記載の太陽電池組立体。
〔態様７〕
前記少なくとも１つの基材は、格子を有する、態様１に記載の太陽電池組立体。
〔態様８〕
前記少なくとも１つの基材は、フレームと格子の組合せを有する、態様１に記載の太陽電池組立体。
〔態様９〕
前記少なくとも１つの基材は、フレームと足場の組合せを有する、態様１に記載の太陽電池組立体。
〔態様１０〕
前記少なくとも１つの基材は、太陽電池カプセル用のフレーム、足場、及び基部層カプセル材料の統合された組合せを有する、態様１に記載の太陽電池組立体。
〔態様１１〕
前記少なくとも１つの基材は、可撓性の基材を有する、態様２から４のいずれか一態様に記載の太陽電池組立体。
〔態様１２〕
前記少なくとも１つの基材は、多孔性基材を有する、態様２から１１のいずれか一態様に記載の太陽電池組立体。
〔態様１３〕
前記少なくとも１つの基材は、太陽電池カプセルを相互に接続する前記電気回路を確立している、態様２から１２のいずれか一態様に記載の太陽電池組立体。
〔態様１４〕
前記太陽電池ユニットは、シリコンウエハ太陽電池である、態様１に記載の太陽電池組立体。
〔態様１５〕
前記太陽電池ユニットは、ペロブスカイト太陽電池である、態様１に記載の太陽電池組立体。
〔態様１６〕
前記太陽電池ユニットは、銅インジウムガリウムジセレニド太陽電池である、態様１に記載の太陽電池組立体。
〔態様１７〕
前記カプセル材料は、エポキシである、態様１に記載の太陽電池組立体。
〔態様１８〕
前記カプセル材料は、ＥＴＦＥ薄膜内において挟持されたシリコンゴムである、態様１に記載の太陽電池組立体。
〔態様１９〕
前記カプセル材料は、ＰＴＦＥ薄膜内において挟持されたシリコンゴムである、態様１に記載の太陽電池組立体。
〔態様２０〕
態様１から１９のいずれか一態様に記載の前記太陽電池組立体を形成することを有する、方法。
〔態様２１〕
太陽電池組立体を形成することを有する方法であって、前記太陽電池組立体は、
上部表面を含む少なくとも１つの基材と、
複数の太陽電池カプセルであって、該複数の太陽電池カプセルは、複数の連続的なギャップが、前記複数の太陽電池カプセルの隣接する太陽電池カプセルの間において画定されるように、前記少なくとも１つの基材の前記上部表面に付着されており、前記複数の太陽電池カプセルの太陽電池カプセルのそれぞれは、１つ又は複数の太陽電池ユニットを含み、前記１つ又は複数の太陽電池ユニットは、水及び酸素分子、大気汚染物質、泥、すす、及び強力な化学物質、或いは、機械的な摩滅、衝撃、ＵＶ光、及び温度の１つ又は複数から、前記太陽電池ユニットを保護するべく、カプセル材料内において収容されている、複数の太陽電池カプセルと、
電気回路を形成するべく、前記太陽電池カプセルを互いに相互接続する複数の電気導体と、
を有する、方法。
〔態様２２〕
前記太陽電池組立体を形成することは、前記複数の太陽電池カプセルを前記少なくとも１つの基材の前記上部表面に付着させることを有する、態様２１に記載の方法。
〔態様２３〕
前記太陽電池組立体をフォーマッティングすることは、前記１つ又は複数の太陽電池ユニットを前記カプセル材料内においてカプセル化することを有する、態様２１又は２２のいずれか一態様に記載の方法。
【手続補正２】
【補正対象書類名】特許請求の範囲
【補正対象項目名】全文
【補正方法】変更
【補正の内容】
【特許請求の範囲】
【請求項１】
太陽電池組立体であって、
フレームであって、該フレームの個々の支持構造の間において開放空間を有する接続された支持構造のアレイを画定し、前記開放空間は、空気及び太陽光が前記フレームを通過することを許容するように構成されている、フレームと、
複数の太陽電池カプセルであって、個々の支持構造の間において前記開放空間と整列されたギャップにより、前記複数の太陽電池カプセルのそれぞれの隣接する太陽電池カプセルから分離されており、前記複数の太陽電池カプセルのそれぞれの太陽電池カプセルは、ポリマー材料によってカプセル化された少なくとも１つの太陽電池を含み、前記ポリマー材料は、水分子、酸素分子、及び化学物質からの損傷から前記少なくとも１つの太陽電池を保護している、複数の太陽電池カプセルと、
を有し、
前記複数の太陽電池のそれぞれのものの前記少なくとも１つの太陽電池は、光から電気を生成するための電気回路を確立するべく、相互に電気的に接続されている、
組立体。
【請求項２】
前記フレームの前記開放空間及び前記複数の太陽電池カプセルの間の前記ギャップによって画定される前記組立体の空隙率は、前記組立体に対する、約１０％〜約４０％である、請求項１に記載の組立体。
【請求項３】
前記フレームは、ポリマー材料、ガラス、金属、又はこれらの組合せのうちの少なくとも１つから製造されている、請求項１に記載の組立体。
【請求項４】
前記フレームは、エポキシ、エポキシ複合体、ファイバーグラス複合体、炭素繊維複合体、又はこれらの組合せから製造されている、請求項１に記載の組立体。
【請求項５】
前記複数の太陽電池のすべてのものの前記少なくとも１つの太陽電池のすべては、光から電気を生成するために電気回路を確立するべく、相互に電気的に接続されている、請求項１に記載の組立体。
【請求項６】
前記光は、太陽光を含む、請求項５に記載の組立体。
【請求項７】
前記少なくとも１つの太陽電池は、シリコンウエハ太陽電池である、請求項１に記載の組立体。
【請求項８】
前記少なくとも１つの太陽電池は、少なくとも１つのペロブスカイト太陽電池である、請求項１に記載の組立体。
【請求項９】
前記少なくとも１つの太陽電池は、少なくとも１つの銅インジウムガリウムジセレニド太陽電池である、請求項１に記載の組立体。
【請求項１０】
前記少なくとも１つの太陽電池は、少なくとも１つのＣｄＴｅ太陽電池である、請求項１に記載の組立体。
【請求項１１】
前記少なくとも１つの太陽電池をカプセル化する前記ポリマー材料は、エポキシ、エポキシによってカバーされたシリコンゴム、ＥＴＦＥ薄膜内において挟持されたシリコンゴム、或いは、ＰＴＦＥ薄膜内において挟持されたシリコンゴムのうちの少なくとも１つを有する、請求項１に記載の組立体。